(57)【要約】      （修正有）【課題】ガラスカッターホイールの回転性能の低下を低減させ、もって、スクライブ・ブレイク工程の歩留まりを向上させることができるガラス切断工具を提供する。【解決手段】ホイールホルダ２と、ホイールホルダ２にピンを介して回転可能に取り付けられるガラスカッターホイール３とを備え、ホイールホルダ２は、少なくともガラスカッターホイール３の側面と接触する可能性のある両側壁面２２ｂが自己潤滑性を有する自己潤滑性部材２２ｄで形成されている。【選択図】図２
2016023091.tif 000002
【特許請求の範囲】
【請求項１】
ホイールホルダと、
前記ホイールホルダに取付軸を介して回転可能に取り付けられるガラスカッターホイールとを備え、
前記ホイールホルダは、少なくとも前記ガラスカッターホイールの側面と接触する可能性のある部分が自己潤滑性を有する材料で形成されてなることを特徴とするガラス切断工具。
【請求項２】
ホイールホルダと、
前記ホイールホルダに取付軸を介して回転可能に取り付けられるガラスカッターホイールと、
前記ガラスカッターホイールの側面と前記ホイールホルダとの間に設けられる自己潤滑性を有する自己潤滑性部材とで構成されてなることを特徴とするガラス切断工具。
【発明の詳細な説明】
【技術分野】
【０００１】
本発明は、各種電子機器に使用されているガラスを切断するためのガラス切断工具に関する。より詳しくは、ガラスカッターホイールの回転性能の低下を低減させ、もって、スクライブ・ブレイク工程の歩留まりを向上させることができるガラス切断工具に関する。
【背景技術】
【０００２】
近年普及しているフラットパネルディスプレイやスマートフォン、あるいは、タブレット端末等の電子機器には、薄厚で破断強度が高いガラスが使用されている。このようなガラスを切断（スクライブ）するにあたっては、例えば、特許文献１〜３に記載のようなガラスカッターホイールが用いられている。
【０００３】
この特許文献１に記載の発明は、ガラスカッターホイールを挟持するホイールホルダの各面に超硬合金製のリングをろう付けなどで固着し、もって、ホイールホルダのガラスカッターホイールとの接合面が摩耗することを防ぎ、ガラスカッターホイールの傾斜やその軸線方向の移動を阻止するものである。
【０００４】
また、特許文献２に記載の発明は、ホイールホルダの下部にはガラスカッターホイールを配置するための空間が形成され、この空間を隔てて左右の支持部が設けられている。そして、左右の支持部には互いの中心軸が一致するように一直線上に配置されたカッターピン挿入孔が設けられ、支持部の相対する内側面でピン挿入孔の開口部にピン孔を備えた超硬材料（焼結ダイヤモンドあるいは超硬合金）のリング体がろう付けで貼り付けられている。これにより、カッターホイールの垂直度を高めるとともに回転支承部分の摩耗を抑えて回転精度の維持を図るというものである。
【０００５】
そして、特許文献３に記載の発明は、中央に貫通孔を有するガラスカッターホイールと、平行な対向面を持つスリットを形成するように連結され、連結されたときに同一の中心軸の貫通孔を有する一対のホイールホルダと、そのホイールホルダの相対向する貫通孔の位置に取付けられ、外周面に外向きに湾曲した湾曲面を形成し中心に貫通孔を有する一対のスペーサと、ホイールホルダ及び一対のスペーサの貫通孔とガラスカッターホイールの貫通孔に挿入され、ガラスカッターホイールを回転自在に保持するピントとを具備するものである。これにより、ガラスカッターホイールの側面と、スペーサや軸支持部との接触面積を小さくしているため、摩擦を小さくすることができ、もって、スクライブラインの直線性を向上させることができる。さらには、ガラスカッターホイールの側面のスペーサや軸支持部との間で摩耗を小さくすることができるため、ガラスカッターホイールを長寿命化することができるというものである。
【先行技術文献】
【特許文献】
【０００６】
【特許文献１】実開昭５５−１２７７３２号公報
【特許文献２】特開２０１１−２４０５４０号公報
【特許文献３】特開２０１４−０６５１７３号公報
【発明の概要】
【発明が解決しようとする課題】
【０００７】
しかしながら、上記のような発明には、次のような問題があった。すなわち、ガラスカッターホイールが回転する際、ホイールホルダとガラスカッターホイールとの間に介在している部材と接触することによる摩擦を低減させることができず、もって、ガラスカッターホイールの回転性能が低下してしまうという問題があった。これにより、ガラスを切断（スクライブ）する際生じるスクライブラインにチッピングが発生し、その後のガラスの分断（ブレイク）工程でガラスの割れ不良が発生するという問題があった。
【０００８】
そこで、本発明は、上記問題に鑑み、ガラスカッターホイールの回転性能の低下を低減させ、もって、スクライブ・ブレイク工程の歩留まりを向上させることができるガラス切断工具を提供することを目的としている。
【課題を解決するための手段】
【０００９】
上記本発明の目的は、以下の手段によって達成される。なお、括弧内は、後述する実施形態の参照符号を付したものであるが、本発明はこれに限定されるものではない。
【００１０】
請求項１の発明によれば、ホイールホルダ（２）と、
前記ホイールホルダ（２）に取付軸（ピン４）を介して回転可能に取り付けられるガラスカッターホイール（３）とを備え、
前記ホイールホルダ（２）は、少なくとも前記ガラスカッターホイール（３）の側面と接触する可能性のある部分が自己潤滑性を有する材料（自己潤滑性部材２２ｄ）で形成されてなることを特徴としている。
【００１１】
また、請求項２の発明によれば、ホイールホルダ（２Ａ）と、
前記ホイールホルダ（２Ａ）に取付軸（ピン４）を介して回転可能に取り付けられるガラスカッターホイール（３）と、
前記ガラスカッターホイール（３）の側面と前記ホイールホルダ（２）との間に設けられる自己潤滑性を有する自己潤滑性部材（５）とで構成されてなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１に係る発明によれば、ガラスカッターホイール（３）がホイールホルダ（２）に接触したとしても、その接触する可能性のあるホイールホルダ（２）の部分が自己潤滑性を有する材料（自己潤滑性部材２２ｄ）で形成されているから、この材料（自己潤滑性部材２２ｄ）によってガラスカッターホイール（３）とホイールホルダ（２）との接触面の摩擦係数が低減され、ガラスカッターホイール（３）の回転性能の低下を低減させることができる。これにより、ガラスを切断（スクライブ）する際生じるスクライブラインを均一にすることができ、もって、チッピングの発生を低減させることができる。また、その後のガラスの折割（ブレイク）工程においても、良好なガラスの分断を行うことができる。
【００１４】
よって、本発明によれば、ガラスカッターホイールの回転性能の低下を低減させ、もって、スクライブ・ブレイク工程の歩留まりを向上させることができる。
【００１５】
また、請求項２に係る発明によれば、ガラスカッターホイール（３）がホイールホルダ（２）に接触したとしても、その接触する可能性のあるガラスカッターホイール（３）の側面とホイールホルダ（２）との間に自己潤滑性を有する自己潤滑性部材（５）を設けているから、この自己潤滑性部材（５）によってガラスカッターホイール（３）とホイールホルダ（２）との接触面の摩擦係数が低減され、ガラスカッターホイール（３）の回転性能の低下を低減させることができる。これにより、ガラスを切断（スクライブ）する際生じるスクライブラインを均一にすることができ、もって、チッピングの発生を低減させることができる。また、その後のガラスの折割（ブレイク）工程においても、良好なガラスの分断を行うことができる。
【００１６】
よって、本発明においても、ガラスカッターホイールの回転性能の低下を低減させ、もって、スクライブ・ブレイク工程の歩留まりを向上させることができる。
【図面の簡単な説明】
【００１７】
【図１】本発明の第１実施形態に係るガラス切断工具を示し、（ａ）は側面図、（ｂ）は正面図である。
【図２】図１（ｂ）に示すＡ部分の拡大図である。
【図３】本発明の第２実施形態に係るガラス切断工具を示す図である。
【図４】超硬材と砲金をそれぞれ超硬板に摺動させた回数によって、超硬材の摩擦係数の値並びに砲金の摩擦係数の値がどのように変化するかを示した図である。
【発明を実施するための形態】
【００１８】
＜第１実施形態＞
以下、本発明に係るガラス切断工具の第１実施形態を、図１〜図２を参照して具体的に説明する。
【００１９】
図１に示すように、ガラス切断工具１は、ホイールホルダ２と、ガラスカッターホイール３とで構成されている。このホイールホルダ２は、主に焼き入れ鋼等の材質で形成され、ガラスカッターホイール３の両側面と接触する部分が、自己潤滑性を有する砲金、オイルレスメタルと呼ばれる金属焼結や銅系・鉄系焼結材料等の材質で形成されている。
【００２０】
このような材質からなるホイールホルダ２は、図１に示すように、略円柱状に形成されているホイールホルダ中央部２０と、そのホイールホルダ中央部２０の上端部より突設している当該ホイールホルダ中央部２０よりも小径な略円柱状のホイールホルダ上部２１と、そのホイールホルダ中央部２０の下端部より突設している当該ホイールホルダ中央部２０よりも小径な略円柱状のホイールホルダ下部２２とで構成されている。
【００２１】
一方、ホイールホルダ下部２２の下端部には、図１（ｂ）及び図２に示すように、上記ガラスカッターホイール３を収容可能な正面視コ字状の溝部２２ａが形成され、さらに、この溝部２２ａに形成されている対向配置されている両側壁面２２ｂ（図２参照）には、図２に示すように、その両側壁面２２ｂに対して垂直方向に上記溝部２２ａ側に向かって、円形状のピン挿通孔２２ｃが貫通されている。このように貫通されたピン挿通孔２２ｃには、図１（ａ）に示すように、ピン４が挿入されている。この挿入されたピン４には、図１（ｂ）及び図２に示すように、上記ガラスカッターホイール３が回転可能に取り付けられている。これにより、上記ガラスカッターホイール３が、上記溝部２２ａ内に回転可能に収容されることとなり、もって、ガラスカッターホイール３が、ホイールホルダ２に回転可能に取り付けられることとなる。なお、ピン４をピン挿通孔２２ｃに挿入するにあたっては、圧入で挿入され、かしめられている。
【００２２】
さらに、ホイールホルダ下部２２には、溝部２２ａの外周壁面に沿うように、自己潤滑性を有する自己潤滑性部材２２ｄが一体的に設けられている。この自己潤滑性部材２２ｄは、砲金，オイルレスメタルと呼ばれる金属焼結や銅系・鉄系焼結材料等の材質で形成されている。なお、本実施形態においては、溝部２２ａの外周壁面に自己潤滑性を有する自己潤滑性部材２２ｄを一体的に設ける例を示したが、それに限らず、自己潤滑性部材２２ｄを別部材にて構成し、溝部２２ａの外周壁面に、貼り付け，コーティング，ろう付け等を行うことにより設けるようにしても良い。また、ホイールホルダ２を、自己潤滑性を有する砲金，オイルレスメタルと呼ばれる金属焼結や銅系・鉄系焼結材料等の材質だけで形成するようにしても良い。
【００２３】
一方、ガラスカッターホイール３は、超硬合金やダイヤモンド単結晶体等の材質で形成されると共に、図１（ａ）に示すように円板状に形成されており、中心部に貫通孔３ａが形成されている。そして、このガラスカッターホイール３は、外周部に沿って稜線を形成するＶ字形の刃を有している。このように構成されるガラスカッターホイール３をホイールホルダ２の溝部２２ａ内に回転可能に収容するにあたっては、ホイールホルダ２のピン挿通孔２２ｃとガラスカッターホイール３の貫通孔３ａとが同軸線上になるように配置し、この状態でピン４を挿入することにより、ガラスカッターホイール３をホイールホルダ２の溝部２２ａ内に回転可能に収容することができる。
【００２４】
かくして、このように構成されるガラス切断工具１は、図示しないガラス切断装置に取り付けられ、もって、外周部に沿って稜線を形成するＶ字形の刃を有しているガラスカッターホイール３によって、ガラスが切断（スクライブ）されることとなる。
【００２５】
しかして、この際、ガラスカッターホイール３がホイールホルダ２に接触したとしても、その接触する可能性のあるホイールホルダ２の溝部２２ａの外周壁面に自己潤滑性を有する自己潤滑性部材２２ｄが設けられているから、この自己潤滑性部材２２ｄによってガラスカッターホイール３とホイールホルダ２との接触面の摩擦係数が低減され、ガラスカッターホイール３の回転性能の低下を低減させることができる。これにより、ガラスを切断（スクライブ）する際生じるスクライブラインを均一にすることができ、もって、チッピングの発生を低減させることができる。また、その後のガラスの折割（ブレイク）工程においても、良好なガラスの分断を行うことができる。
【００２６】
よって、本実施形態によれば、ガラスカッターホイールの回転性能の低下を低減させ、もって、スクライブ・ブレイク工程の歩留まりを向上させることができる。
【００２７】
なお、本実施形態においては、ガラス切断工具１をガラス切断装置（図示せず）に取り付けるという例を示したが、それに限らず、手切り用のガラス切りに適用しても良い。
【００２８】
＜実施例＞
次に、実施例及び比較例を用いて、本実施形態を更に詳しく説明する。
【００２９】
実施例１としては、ガラス切断工具１のホイールホルダ２として、当該ホイールホルダ２の自己潤滑性部材２２ｄに砲金の材質を使用した。また、比較例１として、ガラス切断工具１のホイールホルダ２として、自己潤滑性部材２２ｄを設けず、超硬の材質を用いたものを使用した。
【００３０】
ガラスカッターホイール３は、実施例１及び比較例１共に、外径を２．５ｍｍ，内径を０．８ｍｍ，厚みを０．６５ｍｍ，刃先角度を１２０°のものを使用した。
【００３１】
また、ガラスとしては、硬質系の材質のものを使用し、厚み０．７ｍｍ，サイズ３６０ｍｍ×４６０ｍｍのものを使用した。
【００３２】
そして、上記のようなガラス切断工具１を、トーヨー産業株式会社製テスト専用機であるガラス切断装置に取り付け、スクライブ加重を０．０４ＭＰａ，スクライブ速度を３００ｍｍ／ｓｅｃ，上記ガラス表面に対する上記ガラスカッターホイール３の切込み量を０．０５ｍｍとし、当該ガラス長手方向（４６０ｍｍ）を５ｍｍ間隔で切断（スクライブ）した。この際、スクライブラインから発生したチッピング数をキーエンス社製のマイクロスコープにより目視にてカウントした。この結果を表１に示す。
【００３３】
【表１】
2016023091.tif 000003
【００３４】
この表１は、スクライブラインの本数に対して、チッピングがどの程度発生したかを示すものであるが、自己潤滑性部材２２ｄに砲金の材質を使用したホイールホルダ２（実施例１）を用いた方が、スクライブラインの本数が増大しても、チッピング数が少ないことが分かる。
【００３５】
次いで、ガラスカッターホイール３を５つ用意し、上記と同一条件で、それぞれのガラスカッターホイール３を用いて、ガラスを５ｍｍ間隔で切断（スクライブ）した。この結果を、表２及び表３に示す。表２が、超硬の材質を用いたホイールホルダ２を使用したもので、表３が、自己潤滑性部材２２ｄに砲金の材質を使用したホイールホルダ２を使用したものである。
【００３６】
【表２】
2016023091.tif 000004
【００３７】
【表３】
2016023091.tif 000005
【００３８】
この表２に示すように、超硬の材質を用いたホイールホルダ２を使用した場合、スクライブラインの本数が増加するにつれチッピングの数量が増大し、ガラスカッターホイール３間のばらつきが多いことが分かる。
【００３９】
一方、自己潤滑性部材２２ｄに砲金の材質を使用したホイールホルダ２を使用した場合、表３に示すように、スクライブラインの本数が増加したとしてもそれほどチッピングの数量が増大しておらず、ガラスカッターホイール３間のばらつきが少ないことが分かる。
【００４０】
一般的に、ガラスの切断（スクライブ）中に、ガラスカッターホイールが回転不良を起こすと、スクライブラインが途切れ、点線状態になり、その箇所ではガラス表面から垂直方向へ成長する亀裂（垂直クラック）が発生せず、スクライブラインからガラス表面に水平に成長する亀裂（水平クラック）が発生し、やがてその箇所からチッピングが発生する。このような状態になるのは、ガラスカッターホイールの刃先摩耗に起因すると考えられているが、上記結果に鑑みれば、ホイールホルダの材質によって、チッピングの発生が大きく異なることが確認できる。
【００４１】
よって、上記結果に鑑みれば、ホイールホルダ２の溝部２２ａの外周壁面に自己潤滑性を有する自己潤滑性部材２２ｄを設けることによって、ガラスカッターホイール３の回転性能の低下を低減させ、もって、ガラスを切断（スクライブ）する際生じるスクライブラインを均一にすることができ、チッピングの発生を低減させることができることが分かる。
【００４２】
＜摩擦抵抗試験＞
ところで、ガラスカッターホイール３の回転性能の低下を低減させている理由として、ガラスカッターホイール３とホイールホルダ２との接触面の摩擦係数が低減されたことが理由だと考えられるが、この点を実証するため、以下の要領で試験を実施した。
【００４３】
＜試験要領＞
試験機：新東科学株式会社製トライボギア  １４ＦＷ
室温：２５℃
湿度：５０％
試験時荷重：１００ｇ
計測速度：２５ｍｍ／ｓｅｃ
摺動距離：１往復合計１２０ｍｍ（片道：６０ｍｍ）
試験内容：３φの超硬材の輪切面と３φの自己潤滑性を有する銅系焼結メタル、すなわち、砲金の輪切面を夫々長さ１００ｍｍの超硬板に３５００回（１往復を１回と計算）摺動させ、摩擦係数の経時変化を比較した。
【００４４】
この試験結果が図４に示す折れ線グラフである。この試験結果によると、摺動初期の摩擦係数は超硬材の方が低く、砲金が高い値を示すことが分かった。しかしながら、砲金の摩擦係数は、摺動回数が５００回を超えたあたりから試験終了時の３５００回に至るまで値が略一定していることが分かった。
【００４５】
一方、超硬材の摩擦係数は、摺動初期は０．２以下と低い値を示したものの、その後は規則的に値が上昇し、砲金の摩擦係数の値を摺動回数約２０００回の辺りで超えてそれ以降は砲金の摩擦係数の値との差が徐々に広がっていく傾向にあることが分かった。
【００４６】
以上の結果により、自己潤滑性を有する砲金は、長時間使用しても安定した摩擦係数であるのに対し、超硬材は、長時間使用すると摩擦係数が増大していくことが分かった。
【００４７】
これにより、ガラスカッターホイール３とホイールホルダ２との接触面に自己潤滑性を有する砲金を使用すれば、摩擦係数が安定していることから、ガラスカッターホイール３が安定して回転するということが実証された。
【００４８】
一方で、従来技術のように、ガラスカッターホイール３とホイールホルダ２との接触面に超硬材を用いたものは、摩擦係数が増大していくことから、ガラスカッターホイール３の回転が安定し難いということが実証された。
【００４９】
なお、摺動初期の摩擦係数が超硬材の方が低く、砲金が高い値を示す理由は、以下の理由によるものである。超硬材並びに砲金を輪切り（切断）した際、その輪切面（切断面）は真っ平らとはならず、微小な凹凸が形成される。砲金は超硬材に比べ柔らかな材質であるため、その輪切面（切断面）を真っ平らにし難く、超硬材の輪切面（切断面）に形成される微小な凹凸の数に比べ、多数の微小な凹凸が砲金の輪切面（切断面）に形成される。それゆえ、摺動初期は、その微小な凹凸の数に起因して、超硬材の方が砲金に比べて摩擦係数が低いものと考えられる。しかしながら、上記超硬板に輪切面を摺動させていくと、凹凸が削られて平らになることにより、摩擦係数が安定した挙動を示すこととなる。すなわち、砲金の摩擦係数の値は、摺動回数が５００回を超えたあたりから、極端な上下動を示さず、安定した値（値が略一定している）になっており、超硬材の摩擦係数の値は、摺動回数が２００回を超えたあたりから、極端な上下動を示さず、安定した値（値が規則的に上昇している）になっている。これにより、摺動初期の摩擦係数が超硬材の方が低く、砲金が高い値となっている。
【００５０】
＜第２実施形態＞
次に、本発明に係るガラス切断工具の第２実施形態を、図３を参照して具体的に説明する。なお、第１実施形態と同一の構成については、同一の符号を付し、説明は省略する。
【００５１】
第１実施形態において、ホイールホルダ下部２２に形成されている溝部２２ａの外周壁面には、自己潤滑性を有する自己潤滑性部材２２ｄが一体的に設けられている例を示し、その際、自己潤滑性部材２２ｄを別部材にて構成しても良いという点を記載したが、第２実施形態は、この別部材にて構成しても良いという具体例を示したものである。なお、第１実施形態と第２実施形態の相違は、ホイールホルダに関する部分のみであるため、その点を詳しく説明することとする。
【００５２】
図３（ａ）に示すホイールホルダ２Ａは、焼き入れ鋼等の材質で形成され、自己潤滑性を有する材質は使用されていない。このような材質で形成されているホイールホルダ２Ａのホイールホルダ下部２２に形成されている溝部２２ａ内には、ガラスカッターホイール３が回転可能に収容されており、このガラスカッターホイール３の両側面と溝部２２ａの両側壁面２２ｂとの間に、一対の自己潤滑性部材５が配置されている。
【００５３】
この自己潤滑性部材５は、砲金，オイルレスメタルと呼ばれる金属焼結や銅系・鉄系焼結材料等の材質で形成され、図３（ｂ）に示すように、円板状に形成され、中心部には円形状の貫通孔５ａが設けられている。このように形成される自己潤滑性部材５を、ガラスカッターホイール３の両側面と溝部２２ａの両側壁面２２ｂとの間に配置するにあたっては、ホイールホルダ２のピン挿通孔２２ｃとガラスカッターホイール３の貫通孔３ａと一対の自己潤滑性部材５の貫通孔５ａが同軸線上になるように配置し、この状態でピン４を挿入すれば良い。このようにすれば、ガラスカッターホイール３の両側面と溝部２２ａの両側壁面２２ｂとの間に一対の自己潤滑性部材５を配置することができる。
【００５４】
しかして、本実施形態においても、ガラスを切断（スクライブ）する際、ガラスカッターホイール３がホイールホルダ２に接触する可能性のある箇所、すなわち、ガラスカッターホイール３の両側面とホイールホルダ２における溝部２２ａの両側壁面２２ｂとの間に一対の自己潤滑性部材５を配置しているから、この自己潤滑性部材５によってガラスカッターホイール３とホイールホルダ２との接触面の摩擦係数が低減され、ガラスカッターホイール３の回転性能の低下を低減させることができる。これにより、ガラスを切断（スクライブ）する際生じるスクライブラインを均一にすることができ、もって、チッピングの発生を低減させることができる。また、その後のガラスの折割（ブレイク）工程においても、良好なガラスの分断を行うことができる。
【００５５】
よって、本実施形態においても、ガラスカッターホイールの回転性能の低下を低減させ、もって、スクライブ・ブレイク工程の歩留まりを向上させることができる。なお、言うまでもないが、本実施形態におけるガラス切断工具は、ガラス切断装置並びに手切り用のガラス切り何れにも適用可能である。
【符号の説明】
【００５６】
１            ガラス切断工具
２，２Ａ      ホイールホルダ
３            ガラスカッターホイール
４            ピン（取付軸）
５，２２ｄ    自己潤滑性部材
【図１】
2016023091.tif 000006
【図２】
2016023091.tif 000007
【図３】
2016023091.tif 000008
【図４】
2016023091.tif 000009